(57)【要約】      （修正有）【課題】アスパラガス等、収穫物を所定の長さに正確に揃えて収穫採取でき、片手を伸ばすだけの自然な体形で、収穫物を切取動作を確保できる野菜収穫鋏を提供する。【解決手段】茎野菜収穫鋏の柄側面に、収穫鋏柄１１の回動支点部から柄握り部１１側へ挿通穴と締め付け固定部の順に設け、茎野菜を挟持する挟持部材１の一端側を前記挿通穴と締め付け固定部に取り付け、挟持部材１の他端側は、茎野菜収穫鋏の刃の先端方向に延長せず、収穫鋏柄の回動中心部の回動支点部近傍で、鋏刃の面に垂直に折曲げて短辺を形成後、刃の先端方向に長方形の挟持部材１を形成し、同挟持部材の端末は回動中心部の回動近傍で垂直に折曲げて短辺の基部に曲締した。更に、茎野菜の収穫測定棒１７を上記挟持体の短辺、若しくは、前記挟持部材の締め付け固定部に着脱自在に装着する。【選択図】図３
0003155012.tif 000002
【実用新案登録請求の範囲】
【請求項１】
茎野菜収穫鋏の柄側面に、前記収穫鋏柄の回動支点部から柄握り部側へ挿通穴と締め付け固定部を順に設け、前記茎野菜収穫鋏で茎野菜を挟持する挟持部材の一端側を前記挿通穴と締め付け固定部に取り付けたことを特徴とする野菜収穫鋏
【請求項２】
上記挟持部材の他端側は、上記茎野菜収穫鋏の刃の先端方向に延長せず、前記収穫鋏柄の回動中心部の回動中心部近傍で、前記鋏刃の面に垂直に折曲げて短辺を形成後、刃の先端方向に長方形の挟持部材を形成し、前記長方形の挟持部材の端末は前記回動支点部の回動近傍で前記垂直に折曲げた短辺の基部に曲締したことを特徴とする請求項１に記載の野菜収穫鋏
【請求項３】
上記茎野菜の収穫測定棒を上記挟持体の短辺、若しくは、前記挟持部材の締め付け固定部に着脱自在に装着したことを特徴とする請求項１、請求項２に記載の野菜収穫鋏
【考案の詳細な説明】
【技術分野】
【０００１】
本考案は、アスパラガス、ウド等の茎野菜や、だらの芽等の(木の目)や、菊、カーネション等の切花を収穫する挟持切取りはさみに関するものである。
【背景技術】
【０００２】
アスパラガス、ウド等の茎野菜は、作業者が屈んだ状態で地面に植わっている植物を採取していたので、疲れやすく、腰痛の原因となっていた。
また、アスパラガス等を採取して出荷する場合は、収穫物の長さを均一に揃える必要がある。従来は採取した収穫物を長さに応じて仕分けしたり、均一な長さに切揃えたりする作業を行なわなければならず、余分な手間が掛かっていた。
また、この仕分け作業中に収穫物が傷付く等して、商品価値の低下を招いていた。作業を担っているのが現状である。
【先行技術文献】
【特許文献】
【０００３】
【特許文献１】実開平７−３０６３１号公報
【考案の概要】
【考案が解決しようとする課題】
【０００４】
アスパラガス等を切取り収穫する際に、アスパラガス等の収穫物を地面から採取する場合は、作業者は両手を伸ばした極端に屈んだ状態で作業を行っていた。この作業状態は不自然であり、疲れやすく、腰痛の原因となっていた。更に、不自然な体形で収穫物を切取ったりするので収穫物が傷付く等して、商品価値の低下を招いて出荷出来ない収穫物が多かった。また、収穫物を出荷する場合は、採取した収穫物を長さに応じて手作業で、仕分けし、均一な長さに切揃えなければならず、手間が掛かっていた。
【０００５】
（１）切取り作業で、アスパラガス、ウド等の茎野菜や、だらの芽等の木の芽や、菊、カーネション等を能率よく収穫し、収穫(切り取り回収)挟持する茎部を傷つけないこと。
（２）アスパラガス等、収穫物を所定の長さに正確に揃えて収穫採取すること。
（３）小型軽量単純構造で見込まれる故障発生箇所が少ないこと。
【０００６】
本考案はこのような課題を解決するために、構造が簡単で取り扱いが容易な挟持切取りはさみを提供することを目的とする。
【課題を解決するための手段】
【０００７】
このような目的を達成するために、本考案は、茎野菜収穫鋏の柄側面に、前記収穫鋏柄の回動支点部から柄握り部側へ挿通穴と、締め付け固定部の２点の取り付け部を順に設け、前記茎野菜を挟持する挟持部材の一端側を前記挿通穴と締め付け固定部に取り付けた。
【０００８】
加えて、挟持部材の他端側は、茎野菜収穫鋏の刃の先端方向に延長せず、前記収穫鋏柄の回動中心部の回動支点部近傍で、前記鋏刃の面に垂直に折曲げて短辺を形成後、更に、刃の先端方向に長方形の挟持部材を形成し、同挟持部材の端末は前記回動中心部の回動近傍で前記垂直に折曲げた短辺の基部に曲締した。更に、茎野菜の収穫測定棒を上記挟持体の短辺、若しくは、前記挟持部材の締め付け固定部に着脱自在に装着した野菜収穫鋏とした。
【０００９】
具体的には、アスパラガス等、収穫物を所定の長さに正確に揃えて収穫採取することが可能なように挟持材（挟持体）の部位に刃面に概ね直角に測定棒をテープ巻きにして固定した。
【考案の効果】
【００１０】
本考案は上記構成を備え、以下の効果を奏する。
(１)切取り作業で、自然な体形で収穫物を収穫採取可能になり、アスパラガス、だらの芽
(木の目)等の茎野菜や、菊、カーネション等の茎部を傷つけることがなくなった。
(２)アスパラガス等、収穫物を所定の長さに正確に揃えて収穫採取可能になった。
(３) 小型軽量単純構造で見込まれる故障発生箇所が少なく、新たな構成部品を必要とせずに簡素化でき、小型で安価な挟持切取りはさみを提供することができた。
(４）前記挟持体、測定棒の着脱が簡単な為、刃研ぎ等のメンテナンスが容易になった。
【図面の簡単な説明】
【００１１】
【図１】本考案に係る挟持切取りはさみ全体の斜視図
【図２】本考案に係る一実施例を示す挟持切取りはさみの挟持部の斜視図
【図３】本考案に係る一実施例を示す挟持切取りはさみの測定棒部の斜視図である。
【図４】本考案に到達する前に試作した挟持切り取はさみの挟持部の斜視図である。
【考案を実施するための形態】
【００１２】
図１から図３を参考に本考案に係る挟持切取りはさみの一実施例を以下説明する。
【実施例】
【００１３】
図１は、本考案に係る野菜収穫鋏全体を示す斜視図で、本実施例に基づき詳細に説明する。
【００１４】
図１において、鋏本体は１対の鋏刃１０と、１対の鋏柄１１と、挟み本体回動支点ピン９と回動を助ける復帰バネ１６で形成されている。本体の鋏柄１１には、挟持体１、被覆材２の保持部材としての挟持体保持リング１５が鋏柄１１と、鋏刃１０の境近傍に固着されていて、回動支点ピン９から挟持体保持リング１５の延長線上２〜３センチの作業者の邪魔にならない任意の部位に、挟持体１、被覆材２を挟持体取り付けボルト１２にワッシャ１４を介在して挟持体取り付けナット１３をナット締め固着する為のボルト穴(図示省略)が穿孔してある。
【００１５】
図２は本考案に係る挟持切取りはさみの挟持部の斜視図で、本挟持体１は本体を鋼線で、鋼線の挟持体１を軟質塩化ビニールで被覆した被覆材２で形成されている。この一対の挟持体１、被覆材２は野菜収穫鋏本体の一対の鋏刃１０に沿って装着され、収穫対象物を挟持して切り取り、図示省略の収穫容器に回収できるものである。挟持体１のＵ字曲げされた鋼線のＵ型曲げ元端末３は鋏柄１１に配設された挟持体保持リング１５の穴を挿通して、延長線上の鋏柄１１の側面に挟持体取り付けボルト１２にワッシャ１４を介在して挟持体取り付けナット１３で締めつけ固着されている。
【００１６】
挟持切取りはさみの挟持部に装着した挟持体１の形状、構成については、挟持体１の本体鋼線を、鋏柄１１側面上の挟持体取り付けボルト１２から、挟持体保持リング１５を通って、そのまま鋏刃先端方向へ延長せず、鋏本体回動ピン９の支点近傍で鋏刃１０の面に第１の曲折部位５で垂直に折りげて、長方形の挟持部材の短辺を形成し、更に、第２の曲折部位６で刃先方向へ折り曲げて長方形の挟持部材の長辺を形成し、最後に、鋏刃先位置の第３の曲折部位７と、第４の曲折部位８で折り曲げて長方形の挟持部材を形成し、（工法としてはこの時点で緩衝材チューブの挿入を行うと作業が容易である）。挟持体１の鋼線の先端端末は、第１の曲折部位５の短辺の基部(曲締先端端末４)に曲締されている。
【００１７】
挟持体１の鋼線の折り曲げ方法に関して、挟持体保持１を挟持材鋼線のナット締め位置で、挟持体取り付けボルト１２と，挟持体取り付けナット１３から挟持体保持リング１５を通って、そのまま鋏刃先の方へ延長し折り曲げて長方形の形状にする従来法では、底部の長辺の挟持圧だけが強く、上部の長辺の挟持圧は著しく弱いため、本実施例では、第４の曲折部位５で鋏刃面に垂直に折り曲げて短辺を形成してから刃先方向へ延長して長方形に形成し、挟持体１の上部、低部の挟持圧の平均化を図ったものである。図４に示したような切り口口径１．９ミリのステンレス鋼線を使用した挟持体の試作実験では、前者の場合は切断されたアスパラガスの切り口は潰れや滲みが出たり、又挟持体１上部の挟持圧不足による挟持不完全でアスパラガスの切り倒れが多く出たのに対して後者は挟持体１の底部長辺の強い挟持圧が上部長辺に移行、平均化された為、前者のような障害は発生しなかった。
【００１８】
図３において測定棒１７は挟持体１と同一鋼線を使用した。測定棒１７の取付部１８をＵ字型に曲げて、片方の鋏柄１１に挟持体１のＵ型曲げ元端末３と重ねてナット締め固着した。測定棒１７は重ねて固着された挟持体１と同一方向に延長され鋏本体の鋏本体回動ピン９と、鋏刃先間の適宜な位置で鋏刃面に垂直に折り曲げて立設した。測定棒の先端１７は安全を考慮して折り曲げてあり、長さは収穫野菜の種類によって変更する。     
【産業上の利用可能性】
【００１９】
本実施例では、アスパラガスを収穫する事例を説明したが、ウド等の茎野菜や、菊、カーネション等の地面の作業に限らず、だらの芽等の高所の収穫作業にも利用可能である。  
【符号の説明】
【００２０】
１    挟持体（本体のステンレス鋼線）
２    被覆材（軟質塩化ビニールチューブ）
３    Ｕ型曲げ元端末       
４    曲締先端端末
５    第１の曲折部位
６    第２の曲折部位
７    第３の曲折部位
８    第４の曲折部位
９    鋏本体回動ピン
１０  鋏刃
１１  鋏柄
１２  挟持体取り付けボルト
１３  挟持体取り付けナット
１４  ワッシャ
１５  挟持体保持リング
１６  復帰バネ
１７  測定棒
１８  測定棒の取付部
１９  測定棒の先端
【図１】
0003155012.tif 000003
【図２】
0003155012.tif 000004
【図３】
0003155012.tif 000005
【図４】
0003155012.tif 000006
【手続補正書】
【提出日】平成21年8月20日(2009.8.20)
【手続補正１】
【補正対象書類名】実用新案登録請求の範囲
【補正対象項目名】全文
【補正方法】変更
【補正の内容】
【実用新案登録請求の範囲】
【請求項１】
茎野菜収穫鋏の柄側面に、前記収穫鋏柄の回動支点部から柄握り部側へ挿通穴と        締め付け固定部を順に設け、前記茎野菜収穫鋏で茎野菜を挟持する挟持部材の一        端側を前記挿通穴と締め付け固定部に取り付けたことを特徴とする野菜収穫鋏
【請求項２】
上記挟持部材の他端側は、上記茎野菜収穫鋏の刃の先端方向に延長せず、前記収        穫鋏柄の回動中心部の回動中心部近傍で、前記鋏刃の面に垂直に折曲げて短辺を        形成後、刃の先端方向に長方形の挟持部材を形成し、前記長方形の挟持部材の端        末は前記回動支点部の回動近傍で前記垂直に折曲げた短辺の基部に曲締したこと        を特徴とする請求項１に記載の野菜収穫鋏
【請求項３】
上記茎野菜の収穫測定棒を上記挟持体の短辺、若しくは、前記挟持部材
の締め付け固定部に着脱自在に装着したことを特徴とする請求項１または請求項        ２に記載の野菜収穫鋏